(57)【特許請求の範囲】
【請求項１】
正逆に回転操作される巻取り回転体から繰り出される吊り下げ用ワイヤにて吊り下げ支持される昇降台が設けられている昇降装置であって、
前記吊り下げ用ワイヤとして、一対の下向き部分とそれら下向き部分の下端部同士を連結する水平姿勢部分とを備える吊り下げ支持部分を備える状態に巻回される状態で且つ前記巻取り回転体からその繰り出し量が変更されるように繰り出される状態で２本のループ状ワイヤが設けられ、
水平方向に間隔を隔てて位置する一対のワイヤ案内回転体が、それらが並ぶ方向と交差する水平方向に間隔を隔てる状態で前記昇降台に２組設けられ、
前記２本のループ状ワイヤの夫々における前記吊り下げ用支持部分が、前記一対のワイヤ案内回転体の組の夫々に巻回され、
前記２本のループ状ワイヤの夫々が、その両端部が前記巻取り回転体から繰り出される状態で設けられ、
前記２本のループ状ワイヤのうちの一方が繰り出される巻取り回転体と、前記２本のループ状ワイヤのうちの他方が繰り出される巻取り回転体とが、一体回転するように共通の回転軸に連係されている昇降装置。
【請求項２】
前記昇降台に設けられた被案内部を水平方向への移動を規制した状態で上下方向に沿って案内する案内レールが設けられている請求項１記載の昇降装置。
【請求項３】
前記昇降台が、棚横幅方向に沿って長尺状に形成されて物品収納棚に沿って昇降移動するように設けられている請求項１又は２記載の昇降装置。
【請求項４】
前記一対のワイヤ案内回転体の組が、前記昇降台における棚前後幅方向の一端側と他端側とに設けられている請求項３記載の昇降装置。
【発明の詳細な説明】
【技術分野】
【０００１】
本発明は、正逆に回転操作される巻取り回転体から繰り出される吊り下げ用ワイヤにて吊り下げ支持される昇降台が設けられている昇降装置に関する。
【背景技術】
【０００２】
かかる昇降装置は、巻取り回転体を正逆に回転操作することにより昇降台を所定の高さに昇降移動させるものである。
そして、このような昇降装置において、従来では、吊り下げ用ワイヤとして、巻取り体からその繰り出し量が変更されるように繰り出される状態で４本の単線状ワイヤが設けられ、その４本の単線状ワイヤが、平面視で矩形状に形成された昇降台の四隅に連結されている（例えば、特許文献１参照。）。
【０００３】
【特許文献１】特開平８−３０１４１０号公報
【発明の開示】
【発明が解決しようとする課題】
【０００４】
しかしながら、上記した従来の昇降装置では、経年変化により４本の単線状ワイヤのうちの１本が他の３本に比べて伸びてしまうと、その伸びた単線状ワイヤは巻取り回転体から繰り出される繰り出し量が他の３本の単線状ワイヤよりも長くなって撓んでしまい、昇降台は他の３本の単線状ワイヤにて吊り下げ支持される状態となるので、昇降台を安定よく吊り下げ支持することできない状態となってしまうものであった。
【０００５】
本発明は、上記実状に鑑みて為されたものであって、その目的は、昇降台を吊り下げ支持するワイヤが伸びた場合でも昇降台を安定よく吊り下げ支持することができる昇降装置を提供する点にある。
【課題を解決するための手段】
【０００６】
この目的を達成するために、本発明にかかる昇降装置は、正逆に回転操作される巻取り回転体から繰り出される吊り下げ用ワイヤにて吊り下げ支持される昇降台が設けられているものであって、その第１特徴構成は、前記吊り下げ用ワイヤとして、一対の下向き部分とそれら下向き部分の下端部同士を連結する水平姿勢部分とを備える吊り下げ支持部分を備える状態に巻回される状態で且つ前記巻取り回転体からその繰り出し量が変更されるように繰り出される状態で２本のループ状ワイヤが設けられ、水平方向に間隔を隔てて位置する一対のワイヤ案内回転体が、それらが並ぶ方向と交差する水平方向に間隔を隔てる状態で前記昇降台に２組設けられ、前記２本のループ状ワイヤの夫々における前記吊り下げ用支持部分が、前記一対のワイヤ案内回転体の組の夫々に巻回され、前記２本のループ状ワイヤの夫々が、その両端部が前記巻取り回転体から繰り出される状態で設けられ、前記２本のループ状ワイヤのうちの一方が繰り出される巻取り回転体と、前記２本のループ状ワイヤのうちの他方が繰り出される巻取り回転体とが、一体回転するように共通の回転軸に連係されている点にある。
【０００７】
すなわち、水平方向に間隔を隔てる状態に一対のワイヤ案内回転体を設け、それらが並ぶ方向と交差する水平方向に間隔を隔てる状態に一対のワイヤ案内回転体の組を設け、２本のループ状ワイヤの夫々における吊り下げ用支持部分を一対のワイヤ案内回転体の組の夫々に巻回することにより、２本のループ状ワイヤにて昇降台におけるワイヤ回転案内体が設けられた４箇所を吊り下げ支持しており、一方のループ状ワイヤにて水平方向に間隔を隔てて位置する２箇所を吊り下げ支持するものであるため、経年変化により２本のループ状ワイヤのうちの一方が他方に比べて伸びて巻取り回転体から繰り出される繰り出し量が他方のループ状ワイヤよりも長くなってしまったとしても、一方のループ状ワイヤの吊り下げ支持部分における一対の下向き部分が均等に伸びることによって、２本のループ状ワイヤが撓むことなく昇降台の４箇所を吊り下げ支持することができるため、昇降台を安定よく吊り下げ支持することができ、もって、昇降台を吊り下げ支持するワイヤが伸びた場合でも昇降台を安定よく吊り下げ支持することができる昇降装置を提供することができるに至った。
【０００８】
本発明にかかる昇降装置の第２特徴構成は、第１特徴構成において、前記昇降台に設けられた被案内部を水平方向への移動を規制した状態で上下方向に沿って案内する案内レールが設けられている点にある。
【０００９】
すなわち、昇降台に設けられた被案内部が水平方向への移動が規制された状態で案内レールにて案内されることにより、昇降台の傾きを規制した状態で昇降台を昇降移動させることができるため、昇降台を昇降移動させる際に昇降台が揺れないようにして昇降台をスムーズに昇降移動させることができ、もって、昇降台をスムーズに昇降移動させることができる昇降装置を提供することができるに至った。
【００１０】
本発明にかかる昇降装置の第３特徴構成は、第１又は第２特徴構成において、前記昇降台が、棚横幅方向に沿って長尺状に形成されて物品収納棚に沿って昇降移動するように設けられている点にある。
【００１１】
すなわち、昇降台が棚横幅方向に沿って長尺状に形成されているため、昇降台が傾いたときに昇降台の棚横幅方向の両端部が大きく上下に移動してしまうものであるが、上述の如く昇降台を安定よく吊り下げ支持することができるので、このように長尺状に形成された昇降台でも安定よく吊り下げ支持することができ、もって、長尺状に形成された昇降台を安定よく吊り下げ支持することができる昇降装置を提供することができるに至った。
【００１２】
本発明にかかる昇降装置の第４特徴構成は、第３特徴構成において、前記一対のワイヤ案内回転体の組が、前記昇降台における棚前後幅方向の一端側と他端側とに設けられている点にある。
【００１３】
すなわち、昇降台における棚横幅方向の一端側と他端側とに一対のワイヤ案内回転体の組が設けられているため、昇降台における棚横幅方向の中央部に一対のワイヤ案内回転体の組を設けた場合に比べて、経年変化により一方のループ状ワイヤが伸びてしまった場合の昇降台の傾きを抑制することができ、もって、経年変化により一方のループ状ワイヤが伸びてしまった場合の昇降台の傾きを抑制することができる昇降装置を提供することができるに至った。
【発明を実施するための最良の形態】
【００１４】
以下、本発明の実施の形態を図面に基づいて説明する。
図１及び図２に示すように、物品収納設備は、物品収納用の収納部１が棚上下方向並びに棚横幅方向に並設された物品収納棚２と、その物品収納棚２の前方の移動空間Ｓを棚上下方向に昇降移動する昇降台としての昇降式足場３と、収納部１と物品搬出入部４との間で物品を搬送する搬送装置５とを備えて構成されている。
【００１５】
前記物品収納棚２は、対向する状態で一対の収納棚部分２ａが設けられており、この一対の収納棚部分２ａの間に移動空間Ｓが形成されている。
そして、一方の収納棚部分２ａの下方に位置する収納部１を利用して複数の物品搬入出部４が棚横幅方向に並設されている。
【００１６】
図１に示すように、前記物品収納棚２には、前記移動空間Ｓに出入りするための出入口６と、前記出入口６を開閉するメンテナンス用扉７とが備えられている。つまり、物品収納棚２には、移動空間Ｓにおける棚横幅方向の両側を覆う一対の外壁２ｂの一方に作業用高さに位置する昇降式足場３に対して乗降するための出入口６が形成され、縦軸心周りの揺動操作により開閉操作自在なメンテナンス用扉７が出入口６を塞ぐように備えられている。
そして、物品収納棚２の横側方には、梯子８ａを利用して上ることができる架台８が出入口６に対応する高さに設置されており、架台８から出入口６を通って移動空間Ｓに入出することにより作業用高さに位置する昇降式足場３に対して乗降することができるように構成されている。
【００１７】
図１に示すように、前記搬送装置５は、物品を各収納部１と自己との間で移載する物品移載装置９と、この物品移載装置９を棚横幅方向に移動自在に支持し且つ移動空間Ｓを棚上下幅方向に沿って昇降移動自在な昇降枠１０とを備えて構成されている。ちなみに、物品移載装置９は、フォーク装置を縦軸心周りに回転自在に備えており、一対の収納棚部分２ａのいずれに対しても各収納部１と自己との間で物品を移載することができるように構成されている。
【００１８】
図３に示すように、前記昇降式足場３は、正逆に回転操作される巻取り回転体１３から繰り出される複数本の吊り下げ用ワイヤ１４にて複数箇所が吊り下げ支持されており、前記巻取り回転体１３の正逆回転により、移動空間Ｓにおける棚上下幅方向の上端箇所又はその上端箇所近くの退避高さと移動空間Ｓにおける棚上下幅方向の上下中間箇所の作業用高さとに亘って、物品収納棚２に沿って昇降移動するように構成されている。
そして、図４及び図５に示すように、昇降式足場３は、平面視形状が矩形状に形成された足場部分１５と、この足場部分１５における棚前後方向の両端部夫々に連結された被支持枠部分１６とを備えて、棚横幅方向に沿って長尺状に形成されて物品収納棚２に沿って昇降移動するように設けられており、足場部分１５と一対の被支持枠部分１６との夫々は、移動空間Ｓの棚横幅方向の幅と略同じ長さに形成されている。
ちなみに、退避高さは、搬送装置５が昇降移動する昇降移動範囲の上端の高さよりも高い高さ（図３において実線で示す）であり、作業用高さは、搬送装置５が昇降移動する昇降移動範囲の中間位置に位置する高さ（図３において仮想線で示す）であり、昇降式足場３を退避高さに退避させておくことにより、搬送装置５をその昇降移動範囲の全範囲に亘って昇降移動させることができ、また、搬送装置５を昇降移動範囲の前記中間位置より下方に下降させておくことにより、昇降式足場３を作業用高さと退避高さとに亘って昇降移動させることができるように構成されている。
【００１９】
図３及び図５に示すように、前記昇降式足場３に設けられた被案内部としての案内ローラ１７を水平方向への移動を規制した状態で上下方向に沿って案内する案内レール１８が設けられている。
説明を加えると、案内ローラ１７は、昇降式足場３における一対の被支持枠部分１６の夫々にこの被支持枠部分１６から棚前後幅方向の外方側に突出する状態で棚横幅方向の両端部に設けられ、案内レール１８は、物品収納棚２における収納棚部分２ａの夫々に案内ローラ１７に対応するように上下方向に沿う姿勢で設けられている。そして、棚前後方向に並ぶ案内レール１８の間に案内ローラ１７が位置すること並びに案内ローラ１７に棚横幅方向の外方側への移動を規制するリブが設けられていることにより、案内ローラ１７が案内レール１８にて水平方向への移動が規制された状態で上下方向に沿って案内され、昇降式足場３が物品収納棚２に沿って昇降移動するように構成されている。
【００２０】
図６に示すように、物品収納棚２には、下降操作される前記昇降式足場３を作業用高さで受け止め支持する支持部１９が設けられている。
そして、支持部１９として、被支持枠部分１６における棚横幅方向の中間部を載置支持する中間部用支持部１９ａと、被支持枠部分１６における棚横幅方向の端部を載置支持する端部用支持部１９ｂとが備えられている。
【００２１】
図６及び図７に示すように、中間部用支持部１９ａは、棚横幅方向に沿う姿勢の横フレーム１１に固着されたブロック状の部材であり、被支持枠部分１６にこの被支持枠部分１６から棚前後方向外方側に突出する状態で設けられた板状部材１６ａを載置支持するように構成されている。また、図６及び図８に示すように、端部用支持部１９ｂは、棚前後幅方向に沿う姿勢の前後フレーム１２に固着されたＬ字状に屈曲形成された板状の部材であり、足場部分１５の棚横幅方向の端部を載置支持するように構成されており、この端部用支持部１９ｂに備えられた上方に突出する突起部２０が足場部分１５における棚横幅方向の端部に接当することにより作業用高さに位置する昇降式足場３が棚横幅方向に移動することを規制するように構成されている。
ちなみに、各支持部１９は、昇降移動する搬送装置５と干渉しないように搬送装置５の昇降移動経路の水平方向外方に設けられている。
【００２２】
図９示すように、前記吊り下げ用ワイヤ１４として、一対の下向き部分２１ｂとそれら下向き部分２１ｂの下端部同士を連結する水平姿勢部分２１ｃとを備える吊り下げ支持部分２１Ａを備える状態に巻回される状態で且つ前記巻取り回転体１３からその繰り出し量が変更されるように繰り出される状態で２本のループ状ワイヤ２１が設けられ、水平方向に間隔を隔てて位置する一対のワイヤ案内回転体２２が、それらが並ぶ方向と交差する水平方向に間隔を隔てる状態で前記昇降式足場３に２組設けられ、前記２本のループ状ワイヤ２１の夫々における前記吊り下げ支持部分２１Ａが、前記一対のワイヤ案内回転体２２の組の夫々に巻回されている。
ちなみに、ループ状ワイヤ２１の夫々は、その一端部及び他端部が巻取り回転体１３に巻回させることでループ状とされている。
【００２３】
説明を加えると、一対のワイヤ案内回転体２２が昇降式足場３における棚横幅方向の両端部に振り分けて設けられ、この一対のワイヤ案内回転体２２の組が昇降式足場３における棚前後方向の一端側と他端側との両側に設けられている。つまり、ワイヤ案内回転体２２は、昇降式足場３における棚前後方向の一端側部分と他端側部分となる一対の被支持枠部分１６の棚横幅方向の両端部夫々に設けられている。
また、物品収納棚２の上端部には、ループ状ワイヤ２１を案内する複数の案内回転体２３が設けられており、この複数の案内回転体２３として、棚横幅方向における巻取り回転体１３と同じ側に設けられて巻取り回転体１３から上方に繰り出されたループ状ワイヤ２１を水平方向に案内する一対の水平案内用案内回転体２３ａと、棚横幅方向における巻取り回転体１３とは反対側に設けられてループ状ワイヤ２１を折り返し状に案内する折り返し用案内回転体２３ｂと、水平案内用案内回転体２３ａと折り返し用案内回転体２３ｂとの間に設けられてループ状ワイヤ２１における一対の水平案内用案内回転体２３ａの一方と折り返し用案内回転体２３ｂとの間に位置する部分を下方に案内する一対の下方案内用案内回転体２３ｃとが設けられている。そして、一対の水平案内用案内回転体２３ａ、折り返し用案内回転体２３ｂ及び一対の下方案内用案内回転体２３ｃとの５つの案内回転体２３の組が、物品収納棚２の上端部における棚横幅方向の一方側と他方側とに２組設けられている。
また、物品収納棚２の上端部における一方側と他方側との両側にループ状ワイヤ２１にテンションを付与するテンション回転体２４が設けられている。
【００２４】
つまり、２本のループ状ワイヤ２１の夫々は、上述の如く設けられた一対のワイヤ案内回転体２２及び５つの案内用回転体２３にて、一対の下向き部分とそれら下向き部分２１ｂの下端部同士を連結する水平姿勢部分２１ｃとを備える吊り下げ支持部分２１Ａを備える状態に巻回されており、ループ状ワイヤ２１における一対の下方案内用案内回転体２３ｃの間に位置する前記吊り下げ支持部分２１Ａが、一対のワイヤ案内回転体２２の下方に巻き掛けられている。
ちなみに、ループ状ワイヤ２１における下方案内用案内回転体２３ｃからワイヤ案内回転体２２に亘る上下方向に沿う部分が下向き部分２１ｂに相当し、ループ状ワイヤ２１における一対のワイヤ案内回転体２２の間に位置する棚横幅方向に沿う部分が水平姿勢部分２１ｃに相当する。
【００２５】
図１に示すように、前記巻取り回転体１３は、物品収納棚２における出入口６の上方箇所に設けられており、この巻取り回転体１３として、一方のループ状ワイヤ２１の一端側を巻回する巻取り回転体１３、一方のループ状ワイヤ２１の他端側を巻回する巻取り回転体１３、他方のループ状ワイヤ２１の一端側を巻回する巻取り回転体１３、及び、他方のループ状ワイヤ２１の他端側を巻回する巻取り回転体１３の４つの巻取り回転体１３が、物品収納棚２の外壁２ｂの外面側における出入口６の上方箇所に棚前後幅方向に沿って設けられている。
そして、詳細な説明は省略するが、図１０に示すように、４つの巻取り回転体１３は回転軸３２にて一体回転するように連係されており、４つの巻取り回転体１３の夫々は回転軸３２との連係を解除することにより各別に回転操作することができるように構成されている。
【００２６】
また、図１に示すように、物品収納棚２における出入口６の横側箇所に、巻取り回転体１３に連係されて巻取り回転体１３を回転操作する手動操作式の昇降操作具としてのウィンチ２５が設けられている。つまり、図９に示すように、手動操作式のウィンチ２５の回転体２６から繰り出される操作用ワイヤ２７を巻取り且つ前記ウィンチ２５の回転体２６に巻き取られる操作用ワイヤ２７を繰り出す回転操作用回転体２８が設けられ、前記巻取り回転体１３が、前記回転操作用回転体２８と一体回転するように設けられており、これにより、ウィンチ２５が巻取り回転体１３と連係されている。
回転操作用回転体２８は、物品収納棚２の外壁２ｂの外面側における出入口６の横側上方箇所に設けられている。
【００２７】
つまり、作業者が操作用ワイヤ２７を回転体２６にて巻き取るようにウィンチ２５を操作すると、回転操作用回転体２８が操作用ワイヤ２７を繰り出すように回転するに伴って巻取り回転体１３が吊り下げ用ワイヤ１４を巻き取るように回転し、２本のループ状ワイヤ２１の繰り出し量が小さくなって吊り下げ支持部分２１Ａが短くなると、昇降式足場３が吊り下げ用ワイヤ１４にて引き上げられて上昇移動する。
また、作業者が操作用ワイヤ２７を回転体２６から繰り出すようにウィンチ２５を操作すると、回転操作用回転体２８が操作用ワイヤ２７を繰り出すように回転するに伴って巻取り回転体１３が吊り下げ用ワイヤ１４を繰り出すように回転し、２本のループ状ワイヤ２１の繰り出し量が大きくなって吊り下げ支持部分２１Ａが長くなると、長くなるに伴って昇降式足場３が自重により下降移動する。
【００２８】
図１１に示すように、前記巻取り回転体１３の前記昇降式足場３の下降側への回転を前記昇降式足場３が前記作業用高さに達すると阻止するストッパー手段３１が設けられており、前記ストッパー手段３１は、前記巻取り回転体１３と一体回転する回転軸３２に螺合されて前記巻取り回転体１３の回転に伴って回転軸３２の軸心方向に移動する移動体３３と、その移動体３３の回転軸心方向の移動範囲を前記昇降式足場３が前記作業用高さに達する範囲に規制する受け止め体３４とから構成されている。
【００２９】
ストッパー手段３１について説明を加えると、ストッパー手段３１は、案内用回転体２３における巻取り回転体１３が位置する側の反対側に設けられており、受け止め体３４における移動体３３は、基端部が回転軸３２と平行状態に設けられた案内軸３５にその軸心方向にスライド移動自在で且つ回転自在に嵌合されており、先端部が回転軸３２におけるネジ部３２ａに螺合されている。
そして、案内用回転体２３及び巻取り回転体１３が回転して回転軸３２が回転するに伴って、移動体３３が回転軸３２に対して相対的に回転して案内軸３５の軸心方向に沿ってスライド移動し、移動体３３のスライド移動範囲における昇降式足場３の作業用高さに対応する箇所まで移動すると、移動体３３における基端部と先端部との間に位置する中間部に受け止め体３４が接当して受け止め規制されることにより、巻取り回転体１３の昇降式足場３の下降側への回転を規制するように構成されている。
また、受け止め体３４は、支持板３６に螺合するネジ部分を備えて構成されており、回転操作することにより軸心方向に移動操作可能に構成されており、吊り下げ用ワイヤ１４が伸びたとしても昇降式足場３が作業用高さまで下降すると移動体３３を受け止め規制することができるように、移動体３３に対して接当する位置を案内軸３５の軸心方向に沿って位置調節可能に構成されている。
【００３０】
図１２に示すように、前記昇降式足場３が前記作業用高さ又はその近くの高さに位置するときには前記メンテナンス用扉７の開き操作を許容し且つ前記昇降式足場３が前記作業用高さ又はその近くの高さより上方に位置するときには前記メンテナンス用扉７の開き操作を阻止する扉開き阻止手段３９が設けられている。
【００３１】
前記扉開き阻止手段３９は、前記メンテナンス用扉７の開き操作を許容する許容姿勢（図１２（ロ）（ハ）参照）と開き操作を阻止する阻止姿勢（図１２（イ）参照）とに切り換え自在な阻止体４０を、前記阻止姿勢側に弾性復帰付勢した状態で、且つ、前記作業用高さ又はその近くの高さに位置するときにはその昇降式足場３の下降移動にて前記許容姿勢（図１２（ロ）参照）側に押圧操作しかつ前記昇降式足場３が前記作業用高さ又はその近くの高さより上方に位置するときには前記昇降式足場３による押圧操作から開放されて前記阻止姿勢側に弾性復帰させるように、昇降式足場の昇降移動経路に位置する状態で備えて構成されている。
また、前記阻止体４０を、前記許容姿勢（図１２（ハ）参照）並びに前記阻止姿勢（図１２（イ）参照）に姿勢変更操作する人為操作具としての操作キー４１が、前記移動空間Ｓの外部に臨む装着部４２に着脱自在に設けられている。つまり、阻止体４０は、図１２（ロ）に示すような昇降式足場３の下降移動にて切り換えられた通常用の解除姿勢の他に、図１２（ハ）に示すような操作キー４１の人為操作により非常用の解除姿勢に切り換え可能に構成されている。
【００３２】
阻止体４０について説明を加えると、阻止体４０は、一対の外壁２ｂの一方に設けられた昇降操作用部材３７と、この昇降操作用部材３７に係合するようにメンテナンス用扉７の内面側、詳しくは、その内面側の横幅方向における遊端側端部の下端に設けられた揺動操作用部材３８とを備えて構成されている。
そして、揺動操作用部材３８は、図１２（イ）（ロ）に示すように水平又は略水平で且つ装着部４２に対して操作キー４１が着脱自在な係合姿勢と、図１２（ハ）に示すように先端部が基端部より上方に位置するように傾き且つ装着部４２に装着した操作キー４１が離脱不能な係合解除姿勢とに揺動操作可能であり、この揺動操作用部材３８の揺動操作は、装着部４２に装着した操作キー４１にて揺動操作するように構成されている。
また、昇降操作用部材３７は、図１２（ロ）に示すように弾性付勢に抗して昇降式足場３の被支持枠部分１６にて押圧操作されて下方側に移動した下方位置と、図１２（イ）（ハ）に示すように昇降式足場３の被支持枠部分１６による押圧操作から開放されて弾性付勢により上方側に移動した上方位置とに昇降移動可能であり、この昇降操作用部材３７の昇降操作は昇降式足場３の昇降移動により操作されるように構成されている。
さらに、昇降操作用部材３７には、昇降操作用部材３７が下降位置に位置するときは係合姿勢の揺動操作用部材３８の先端部より下方に位置し、昇降操作用部材３７が上昇位置に位置するときには係合姿勢の揺動操作用部材３８の先端部と同じ高さに位置するように、突出部３７ａが昇降操作用部分３７の本体部分から上方側に突出するように設けられている。
【００３３】
従って、図１２（イ）に示すように、昇降式足場３が作業用高さ又はその近くの高さより高い位置に上昇移動し且つ装着部４２から操作キー４１が離脱されている状態では、昇降操作用部材３７が上方位置に位置し且つ揺動操作用部材３８が係合姿勢に姿勢変更されており、昇降操作用部材３７が揺動操作用部材３８に係合するため、阻止体４０は阻止姿勢となり、メンテナンス用扉７は揺動操作用部材３８の先端部が昇降操作用部材３７の突出部３７ａに接当することにより開き操作することができない。
そして、図１２（ロ）に示すように、昇降式足場３が作業用高さ又はその近くの高さに下降移動すると、昇降操作用部材３７が下降位置に移動して昇降操作用部材３７が揺動操作用部材３８から離れるため、阻止体４０は通常用の解除姿勢となり、メンテナンス用扉７は開き操作することができる。
また、図１２（ハ）に示すように、装着部４２に操作キー４１が装着されてこの操作キー４１にて揺動操作用部材３８が係合解除姿勢に揺動操作されると、揺動操作用部材３８が昇降操作用部材３７から離れるため、阻止体４０は非常用の解除姿勢となり、メンテナンス用扉７は開き操作することができる。
【００３４】
図１に示すように、前記昇降式足場３の高さを確認するための確認窓４３と、前記昇降式足場３が退避高さまで上昇されたことを表示し且つ前記確認窓４３から視認可能な箇所に位置する表示部４４とが設けられている。
そして、前記確認窓４３は、前記移動空間Ｓにおける棚横幅方向の一端側に対応する位置に設けられた前記メンテナンス用扉７に備えられ、前記表示部４４は、前記移動空間Ｓにおける棚横幅方向の他端側に対応する箇所に設けられている。
【００３５】
図１３〜図１５に示すように、前記表示部４４は、視認用の着色部分４５ａを備えた表示体４５と、前記視認用の着色部分４５ａを覆う覆い体４６とを備えて構成され、前記表示部４４における前記表示体４５が、上昇する前記昇降式足場３にて上昇側に係止操作されるに伴って前記着色部分４５ａが前記覆い体４６から露出し、且つ、下降する前記昇降式足場３にて下降側に係止操作されるに伴って前記着色部分４５ａが前記覆い体４６にて覆われるように構成されている。
前記視認用の着色部分４５ａが、前記表示体４５の棚上下幅方向に沿って複数の異なる色となるように区分けされた状態で着色されている。
前記表示体４５における横幅方向の中央部に、前記昇降式足場３が係止される被係止部４５ｂが設けられている。
【００３６】
説明を加えると、表示部４４には、板状の本体部分の上部に着色部分４５ａが備えられており、板状の本体部分における上端部の横幅方向中央部に昇降式足場３が位置する側に向けて水平方向に突出する形態で被係止部４５ｂが形成されている。
そして、着色部分４５ａは棚上下幅方向に２色に着色された帯状に区分けされており、着色部分４５ａにおける上部が緑色に着色され、下部が赤色に着色されている。ちなみに、着色部分４５ａの赤色に着色された下部に対して緑色に着色された下部の方が棚上下幅方向に幅広となるように着色されている。
【００３７】
また、覆い体４６は、横幅方向の中央部の内部に表示体４５に形成された上下方向に沿うスリット状の案内用孔４５ｃに挿通される上下一対の案内用部材４６ａが設けられており、この上下一対の案内用部材４６ａにて表示体４５を棚上下方向に案内するとともに上側の案内用部材４６ａが案内用孔４５ｃの上端に位置する状態で表示体４５を支持するように構成されている。
そして、上述のように覆い体４６にて表示体４５を支持した状態では、この覆い体４６にて表示体４５における着色部分４５ａの全体が覆われており、表示体４５が覆い体４６に対して上方に移動することにより、着色部分４５ａの上部、着色部分４５ａの下部の順に着色部分４５ａが覆い体４６の上方に露出させるように構成されている。ちなみに、覆い体４６は壁部２ｂに固着されている。
【００３８】
つまり、昇降式足場３が作業用高さ又はそれに近い高さに位置する状態では、昇降式足場３が表示体４５の被係止部４５ｂに係止しておらず表示体４５が上昇操作されていないために、表示体４５が覆い体４６にて支持されており、この状態では覆い体４６にて着色部分４５ａの全体が覆われている。
また、昇降式足場３が作業用高さ又はそれに近い高さから上昇操作されて、昇降式足場３が退避高さ又はそれに近い高さに近づくと、昇降式足場３が表示体４５の被係止部４５ｂに係止され、この状態から昇降式足場３が上昇操作されると、着色部分４５ａにおける緑色に着色された上部が覆い体４６の上方からに露出し、さらに昇降式足場３が上昇操作されると、着色部分４５ａにおける赤色に着色された下部が覆い体４６の上方から露出するように構成されている。
【００３９】
〔別実施の形態〕
（１）  上記実施の形態では、一対のワイヤ案内回転体２２を、棚横幅方向に間隔を隔てて位置するように昇降台３に設け、この一対のワイヤ案内回転体２２の組を、棚前後方向に間隔を隔てる状態に昇降台３における棚前後幅方向の一端側と他端側とに設けたが、一対のワイヤ案内回転体２２を、棚前後幅方向に間隔を隔てて位置するように昇降台３に設け、この一対のワイヤ案内回転体２２の組を、棚横幅方向に間隔を隔てる状態に昇降台３における棚前後幅方向の一端側と他端側とに設けてもよい。
【００４０】
（２）  上記実施の形態では、昇降台３に設けられた被案内部１７を水平方向への移動を規制した状態で上下方向に沿って案内する案内レール１８を設けて、昇降台３の棚前後方向並びに棚横幅方向の移動を規制したが、この案内レール１８を設けて、昇降台３の棚前後方向又は棚横幅方向の一方の移動を規制するようにしてもよく、また、案内レール１８を設けなくてもよい。
【００４１】
（３）  上記実施の形態では、昇降台３を棚横幅方向に沿って長尺状に形成したが、昇降台３を棚前後方向に沿って長尺状に形成してもよく、また、昇降台３を棚横幅方向と棚前後方向との長さを同様の長さとなるように形成してもよい。
【図面の簡単な説明】
【００４２】
【図１】物品収納設備の斜視図
【図２】物品収納棚の平面図
【図３】物品収納棚の上部を示す平面図
【図４】昇降式足場の斜視図
【図５】案内レールと昇降式足場の案内ローラとを示す斜視図
【図６】中間部用支持部と端部用支持部とを示す斜視図
【図７】中間部用支持部を示す縦断正面図
【図８】端部用支持部を示す縦断側面図
【図９】吊り下げ用ワイヤを示す斜視図
【図１０】物品収納棚の上部を示す正面図
【図１１】ストッパー手段を示す図
【図１２】扉開き阻止手段を示す図
【図１３】表示部を示す正面図
【図１４】表示部を示す斜視図
【図１５】表示部を示す側面図
【符号の説明】
【００４３】
３    昇降台
１３    巻取り回転体
１４    吊り下げ用ワイヤ
１７    被案内部
１８    案内レール
２１    ループ状ワイヤ
２１Ａ  吊り下げ支持部分
２１ｂ  下向き部分
２１ｃ  水平姿勢部分
２２    ワイヤ回転案内体
【図１】
0005246464.tif 000002
【図２】
0005246464.tif 000003
【図３】
0005246464.tif 000004
【図４】
0005246464.tif 000005
【図５】
0005246464.tif 000006
【図６】
0005246464.tif 000007
【図７】
0005246464.tif 000008
【図８】
0005246464.tif 000009
【図９】
0005246464.tif 000010
【図１０】
0005246464.tif 000011
【図１１】
0005246464.tif 000012
【図１２】
0005246464.tif 000013
【図１３】
0005246464.tif 000014
【図１４】
0005246464.tif 000015
【図１５】
0005246464.tif 000016